(57)【要約】【課題】ランプを取り外す際にランプに加わる応力を緩和することによりランプが破損するのを防止することができる照明器具を提供することにある。【解決手段】照明器具は、器具本体２と、直管型のバルブ１０の長手方向の両端部それぞれの側面に設けられた口金１１，１１にバルブ１０の長手方向に直交する一方向に端子ピン１１ａが突設された蛍光ランプ（ランプ）１が接続される２つのソケット３と、器具本体２に２つのソケット３を固定するためのソケット台３２とを備え、各ソケット３は、端子ピン１１ａが挿入される端子ピン挿入穴が設けられたソケット本体３０と、蛍光ランプ１を点灯させる点灯装置４に接続されるとともに端子ピン挿入穴に挿入される端子ピン１１ａに接触導通する導電ブロック（図示せず）とを有する。そして、ソケット台３２の操作レバー（操作部）３５ａを操作すると、可動突起３５ｂが口金１１をソケット３から離れる方向に押し出す。【選択図】図１
2009176683.tif 000002
【特許請求の範囲】
【請求項１】
器具本体と、直管型のバルブの長手方向の両端部それぞれの側面に設けられた口金からバルブの長手方向に直交する一方向に端子ピンが突設されたランプが電気的且つ機械的に接続される２つのソケットと、器具本体に２つのソケットを固定するための２つのソケット台とを備え、各ソケットは、絶縁材料からなり、端子ピンが挿入される端子ピン挿入穴が設けられたソケット本体と、ランプを点灯させる点灯装置に電気的に接続されソケット本体に収納されて端子ピン挿入穴に挿入される端子ピンに接触導通する導電ブロックとを有し、ソケット台には、ソケットからランプを取り外す際に操作できる操作部と、操作部が操作されたときにランプの口金をソケット本体から離れる方向に押し出す可動突起とが設けられていることを特徴とする照明器具。
【請求項２】
前記操作部は非ラッチ型の押し釦であって、押し釦が押されると前記可動突起が前記口金を前記ソケット本体から離れる方向に押し出すように変位することを特徴とする請求項１記載の照明器具。 
【発明の詳細な説明】
【技術分野】
【０００１】
本発明は、照明器具に関するものである。
【背景技術】
【０００２】
従来から、直管型の蛍光ランプのバルブの長手方向（管軸方向）の両端部の側面に口金を設けることで、複数の蛍光ランプを長手方向に並設して使用する場合に蛍光ランプの両端部に非発光部を生じさせない蛍光ランプおよび当該蛍光ランプに対応可能なソケットが提案されており（特許文献１参照）、この種の蛍光ランプおよび当該蛍光ランプに対応可能なソケットが使用された照明器具として、図５に示す構成のものが提案されている。
【０００３】
図５に示した構成の照明器具は、ランプとして蛍光ランプ１が用いられており、天井等に取り付けられる長尺の箱状の器具本体２’と、器具本体２’の長手方向の両端部に設けられ蛍光ランプ１の口金１１，１１が着脱自在に取り付けられる一対のソケット３’，３’と、器具本体２’内部に収納され蛍光ランプ１に電力を供給して点灯させる点灯装置４’とを備える。
【０００４】
ここで、蛍光ランプ１は、直管型のバルブ１０を有しバルブ１０の長手方向の両端部それぞれの側面に口金１１，１１が設けられており、各口金１１それぞれから２本の端子ピン１１ａ（図７参照）が蛍光ランプ１の長手方向に直交する一方向に突設されている。また、ソケット３’は、直方体状に形成され端子ピン１１ａが挿入される端子ピン挿入穴（図示せず）が口金１１の当接する面に設けられたソケット本体３０’と、下方が開放した断面コ字状に形成され、バルブ１０の長手方向に直交し且つ端子ピン１１ａの突出方向に直交する方向から口金１１を弾性的に挟持する板ばねからなる支持ばね３１’とを備える。
【０００５】
ここで、支持ばね３１’は、図６に示すように、ソケット本体３０’において口金１１が当接する面とは反対側の面に重ねて配置される上面視で長方形状の中央片３１ａ’と、中央片３１ａ’の器具本体２’の長手方向とは直交する方向で対向する２辺から下方に延設された脚片（ばね片）３１ｂ’，３１ｂ’とを有し、両脚片３１ｂ’，３１ｂ’の先端部には、脚片３１ｂ’，３１ｂ’の他の部位よりも互いに近づく方向に突出した係止凸部３１ｃ’，３１ｃ’が曲げ加工により形成されている。一方、蛍光ランプ１の口金１１においてバルブ１０の長手方向に直交する両側面には、係止凸部３１ｃ’，３１ｃ’が係合する被係止凸部１１ｂ，１１ｂが突設されている。ここで、口金１１がソケット３’に装着された状態では、係止凸部３１ｃ’，３１ｃ’がその上側に位置する被係止凸部１１ｂ，１１ｂを係止することにより、蛍光ランプ１の落下を防止している。また、口金１１の被係止凸部１１ｂ，１１ｂは、端子ピン１１ａの突出方向に沿った方向（図６（ａ），（ｂ）の上下方向）における中央部が最も突出量が大きくなるように傾斜した傾斜面を有しており、一方、支持ばね３１’の各脚片３１ｂ’，３１ｂ’は、口金１１をソケット３’から取り外す際に、脚片３１ｂ’，３１ｂ’が弾性変形して、係止凸部３１ｃ’，３１ｃ’が傾斜面に沿って互いに離れる方向に変位するので、係止凸部３１ｃ’，３１ｃ’が被係止凸部１１ｂ，１１ｂを係止する状態が解除される。しかして、口金１１に対して端子ピン１１ａの突出方向に沿った方向（図７のＡ１方向）における下方に力を加えることによって口金１１をソケット３’から取り外すことができる。
【０００６】
また、図５に示す構成の照明器具では、器具本体２’の長手方向の両端付近にソケット３’，３’を器具本体２’に取り付けるためのソケット台３２’，３２’が配設されており、当該ソケット台３２’に、ソケット本体３０’が固着されている。また、ソケット３’，３’は、上述の点灯装置４’に、配線４２’，４２’を介して電気的に接続されている。
【特許文献１】特開２００４−３６３０２９号公報
【発明の開示】
【発明が解決しようとする課題】
【０００７】
ところで、蛍光ランプ１のバルブ１０は直管型のガラス管で形成されているが、図５に示す構成の照明器具では、蛍光ランプ１は、バルブ１０の両端に設けられた各口金１１の被係止凸部１１ｂ，１１ｂを各支持ばね３１’の係止凸部３１ｃ’，３１’が係止することにより保持されているので、蛍光ランプ１を２つのソケット３’，３’から取り外す際に、蛍光ランプ１のバルブ１０に端子ピン１１ａの突出方向とは反対方向に力を加える必要がある。従って、蛍光ランプ１を２つのソケット３’，３’から取り外す際に、バルブ１０が、図８に示すように、端子ピン１１ａの突出方向とは反対方向に加えられる応力に耐えられず破損することが懸念された。
【０００８】
また、蛍光ランプ１を２つのソケット３’，３’から取り外す際に、バルブ１０に加わる応力を緩和するために、支持ばね３１’，３１’の弾性力を弱くすると、蛍光ランプ１の保持力が不足し、照明器具に加わる振動等により蛍光ランプ１が落下することが懸念された。
【０００９】
本願発明は上記事由に鑑みてなされたものであり、その目的は、ランプを取り外す際にランプに加わる応力を緩和することによりランプが破損するのを防止することができる照明器具を提供することにある。
【課題を解決するための手段】
【００１０】
請求項１の発明は、器具本体と、直管型のバルブの長手方向の両端部それぞれの側面に設けられた口金からバルブの長手方向に直交する一方向に端子ピンが突設されたランプが電気的且つ機械的に接続される２つのソケットと、器具本体に２つのソケットを固定するための２つのソケット台とを備え、各ソケットは、絶縁材料からなり、端子ピンが挿入される端子ピン挿入穴が設けられたソケット本体と、ランプを点灯させる点灯装置に電気的に接続されソケット本体に収納されて端子ピン挿入穴に挿入される端子ピンに接触導通する導電ブロックとを有し、ソケット台には、ソケットからランプを取り外す際に操作できる操作部と、操作部が操作されたときにランプの口金をソケット本体から離れる方向に押し出す可動突起が設けられていることを特徴とする。
【００１１】
この発明によれば、操作部が操作されたときに可動突起がランプの口金をソケットから離れる方向に押し出すことにより、ランプのバルブを端子ピンの突出方向とは反対方向に強く引っ張ることなく、簡単にランプを２つのソケットから取り外すことができるので、ランプを取り外す際にバルブに加わる応力を緩和し、ランプの破損を防止することができる。
【００１２】
請求項２の発明は、請求項１の発明において、前記操作部は非ラッチ型の押し釦であって、押し釦が押されると前記可動突起がランプの口金をソケット本体から離れる方向に押し出すように変位することを特徴とする。
【００１３】
この発明によれば、前記ランプを２つの前記ソケットから取り外す際に、前記ソケット台に設けられた押し釦を押すと、前記可動突起が前記口金を前記ソケットから離れる方向に押し出すことができるので、より容易に前記ランプを２つの前記ソケットから取り外すことができる。
【発明の効果】
【００１４】
請求項１の発明によれば、ランプを取り外す際にバルブに加わる応力を緩和でき、ランプの破損を防止することができるという効果がある。
【発明を実施するための最良の形態】
【００１５】
（実施形態１）
以下、本実施形態の照明器具について図１に基づいて説明する。
【００１６】
本実施形態の照明器具は、ランプとして蛍光ランプ１が用いられ、図１（ａ）に示すように、天井等に取り付けられる長尺の箱状の器具本体２と、器具本体２の長手方向の両端部から下方に突出した形で設けられ直管型の蛍光ランプ１が着脱自在に取り付けられる一対のソケット３，３と、器具本体２内部に収納され蛍光ランプ１に電力を供給して点灯させる点灯装置（例えば、電子安定器等）４とを備える。なお、以下では、図１（ａ）の上下方向を上下方向として説明する。
【００１７】
ここで、蛍光ランプ１では、直管型のバルブ１０を有しバルブ１０の長手方向の両端部それぞれの側面に口金１１，１１が設けられており、各口金１１それぞれから、図１（ｂ），（ｃ）に示すように、２本の端子ピン１１ａ，１１ａが蛍光ランプ１の長手方向に直交する一方向に突設されている。一方、器具本体２の長手方向に離間して設けられたソケット３，３は、それぞれ端子ピン１１ａが下方から挿入される端子ピン挿入穴（図示せず）下面に開口した中空の直方体形状のソケット本体３０を備える。ここで、ソケット本体３０は、例えば、合成樹脂のような絶縁材料で形成されている。なお、口金１１の各端子ピン１１ａは円柱形状に形成されており、ソケット本体３０の上記各端子ピン挿入穴は開口形状が器具本体２の長手方向に長い長方形状に形成されている。ここで、各端子ピン１１ａそれぞれが上記端子ピン挿入穴に挿入された状態では、口金１１がソケット本体３０に対して器具本体２の長手方向に僅かに動かすことができるようになっている。
【００１８】
また、ソケット本体３０には、金属等の導電性材料からなり上記各端子ピン挿入穴から挿入された２本の端子ピン１１ａ，１１ａに一対一で接触導通する２個の導電ブロック（図示せず）が収納されており、端子ピン１１ａ，１１ａがそれぞれ上記端子ピン挿入穴に挿入されて蛍光ランプ１と導電ブロックとが導通する。しかして、蛍光ランプ１とソケット３とが電気的且つ機械的に接続されることになる。また、ソケット本体３０に収納された導電ブロックと点灯装置４とが導電性の配線４２により接続されているので、端子ピン１１ａがソケット本体３０の上記端子ピン挿入穴に挿入されることで、蛍光ランプ１とソケット３と点灯装置４とが電気的に接続されることになる。
【００１９】
更に、ソケット３は、口金１１をバルブ１０の長手方向に直交し且つ端子ピン１１ａの突出方向に直交する方向から挟持する金属製の板ばねからなる支持ばね３１を備える。ここにおいて、支持ばね３１は、下方が開放した断面コ字状に形成され、ソケット本体３０における口金１１が当接する面とは反対側の面に重ねて配置される上面視で長方形状の中央片（図示せず）と、中央片において器具本体２の長手方向とは直交する方向で対向する２辺から下方へ延設された脚片３１ｂ，３１ｂとを備える。
【００２０】
ここで、脚片３１ｂ，３１ｂは、互いに離れる方向に弾性変形させることが可能であり、脚片３１ｂ，３１ｂの先端部には、脚片３１ｂ，３１ｂの他の部分よりも互いに近づく方向に突出した係止凸部３１ｃ，３１ｃが曲げ加工により形成されている。一方、口金１１のバルブ１０の長手方向に直交する両側面には、係止凸部３１ｃが係止する被係止凸部１１ｂが突設されており、端子ピン１１ａがソケット本体３０の上記端子ピン挿入穴に完全に挿入された状態では、係止凸部３１ｃが被係止凸部１１ｂを係止する。ここで、係止凸部３１ｃが被係止凸部１１ｂを係止した状態では、被係止凸部１１ｂは、係止凸部３１ｃよりも上側に位置することになる。しかして、蛍光ランプ１の口金１１，１１を支持ばね３１，３１が、蛍光ランプ１の長手方向に直交し且つ端子ピン１１ａの突出方向とは直交する方向から弾性的に挟持することによって、蛍光ランプ１が２つのソケット３，３に機械的に固定されるので、蛍光ランプ１が下方へ落下するのを防止することができる。
【００２１】
また、口金１１の被係止凸部１１ｂ，１１ｂは、蛍光ランプ１の端子ピン１１ａの突出方向に沿った方向における中央部が最も突出量が大きくなるように傾斜した傾斜面を有しており、ソケット３から口金１１を取り外す際には、脚片３１ｂ，３１ｂが弾性変形して、係止凸部３１ｃ，３１ｃが傾斜面にそって互いに離れる方向に変位するので、係止凸部３１ｃ，３１ｃが被係止凸部１１ｂ，１１ｂを係止する状態が解除される。従って、蛍光ランプ１に対して端子ピン１１ａが突出する方向とは反対方向に力を加えることによって、口金１１をソケット３から取り外すことができる。
【００２２】
ここで、ソケット本体３０と支持ばね３１は、図１（ｂ）に示すように、器具本体２に固着されたソケット台３２に固定されており、ソケット台３２には蛍光ランプ１をソケット３から取り外す際に操作する操作部となる操作レバー３５ａがソケット台３２に対して器具本体２の長手方向に直交し、且つ支持ばね３１の脚片３１ｂ，３１ｂの突出方向に沿った方向においてスライド自在に保持されている。また、ソケット台３２のソケット本体３０が取り付けられる面においてソケット本体３０とは重ならない部分には、操作レバー３５ａと連続して形成され操作レバー３５ａと連動して動くことが可能な可動突起３５ｂが設けられており、可動突起３５ｂの先端部は、蛍光ランプ１がソケット３，３間に取り付けられた状態で口金１１に当接している。ところで、図１（ｃ）に示すように、操作レバー３５ａを下方（図１（ｃ）の矢印Ａ１方向）に押し下げると操作レバー３５ａと連動して可動突起３５ｂが下方に動き、可動突起３５ｂの先端部が口金１１を下方（図１（ｃ）の矢印Ａ２方向）へ押し下げるので、口金１１がソケット３から機械的に分離される。ここで、口金１１の各端子ピン１１ａ，１１ａが上記各端子ピン挿入穴から抜脱されることにより、口金１１とソケット３とが電気的に分離される。しかして、蛍光ランプ１を取り外す際に、バルブ１０を端子ピン１１ａの突出方向とは反対方向へ強く引っ張ることなく口金１１をソケット３から取り外すことができるので、バルブ１０や、バルブ１０と口金１１との接合部分に加わる応力を緩和して、バルブ１０の破損を防ぐことができる。
【００２３】
（実施形態２）
本実施形態の照明器具の基本構成は実施形態１と略同じであり、図２，３に示すようにソケット台３２，３２の構造が相違するだけなので、他の構成要素については図示を省略する。なお、実施形態１と同様の構成要素については同一の符号を付して説明を省略する。
【００２４】
本実施形態における照明器具では、図２（ａ）に示すように、ソケット台３２に対して器具本体２における長手方向の外側には、蛍光ランプ１をソケット３から取り外す際に操作する操作部となる非ラッチ型の押し釦３６ａが設けられ、ソケット台３２のソケット本体３０が当接する面においてソケット本体３０とは重ならない部分に、押し釦３６ａを器具本体２の内側方向（図２（ａ），（ｂ）の矢印Ｂ１方向）に押し込んだときに下方に動くことが可能な可動突起３６ｂが設けられている。
【００２５】
ここで、非ラッチ型の押し釦３６ａを押すことによって可動突起３６ｂが動く機構について詳述する。図４（ａ）に、押し釦３６ａが押されていない状態でのソケット台３２の断面図を示す。ソケット台３２の内部には、押し釦３６ａが収納される収納部３２ａが形成されている。ここにおいて、ソケット台３２に設けられた押し釦３６ａには、押し釦３６ａの押圧方向に沿った方向とは直交する方向に突出して形成された突出部３６１ａが形成されている。一方、収納部３２ａの内壁の一部には、押し釦３６ａの突出部３６１ａ，３６１ａが挿入されて突出部３６１ａ，３６１ａを案内するガイド溝３２１ａ，３２１ａが、押し釦３６ａの押圧方向に沿って形成されている。ここで、押し釦３６ａが押圧されていない状態では、図４（ａ）に示すように、各突出部３６１ａがガイド溝３２１ａの長手方向における押圧方向とは反対方向の一端側に当接しており、押し釦３６ａが押圧されると、突出部３６１ａがガイド溝３２１ａに沿って移動し、図４（ｂ）に示すように、ガイド溝３２１ａの長手方向の他端側に当接する。しかして、押し釦３６ａの押圧方向に沿った方向の可動範囲が規制されることになる。また、押し釦３６ａの一部には、下側の突出部３６１ａが突出した部位から押し釦３６ａにおける収納部３２ａの奥側に配置される部位ほど収納部３２ａの内壁から離れるように傾斜する傾斜面３６２ａが形成されている。一方、可動突起３６ｂの上端部には、滑車３６１ｂが設けられており、滑車３６１ｂの一部が押し釦３６ａの傾斜面３６２ａに当接している。
【００２６】
ここで、押し釦３６ａがソケット台３２の内側に向かって（図４（ｂ）の矢印Ｃ１方向）に押圧されると、押し釦３６ａが収納部３２ａの奥に向かって変位するとともに、可動突起３６ｂの先端部に設けられた滑車３６１ｂが押し釦３６ａの傾斜面３６２ａに沿って下方へ変位する。つまり、押し釦３６ａがソケット台３２の内側に向かって押圧されたときに、可動突起３６ｂがソケット台３２の下方へ押し出される。
【００２７】
また、収納部３２ａの内壁のうち押し釦３６ａの先端部に対向する内壁には、押し釦３６ａの押圧方向に向かって第１の凹部３２１ｂが形成されている。また、押し釦３６ａには、先端部から押し釦３６ａの押圧方向に向かって突出して形成されスプリング（コイルスプリング）３３ａを保持する保持用突出部３６３ａが設けられており、押し釦３６ａが押圧されていない状態では、保持用突出部３６３ａの先端部の一部が第１の凹部３２１ｂに挿入されている。ここで、押し釦３６ａが押圧されると、保持用突出部３６３ａが第１の凹部３２１ｂの更に奥へ挿入される。また、押し釦３６ａの保持用突出部３６３ａに外装されたスプリング３３ａは、押し釦３６ａの先端部と押し釦３６ａの先端部に対向する収納部３２ａの内壁との間に挟持される形で配置される。また、収納部３２ａのうち下側の内壁の一部には、第２の凹部３２１ｃが形成されており、第２の凹部３２１ｃの底部には可動突起３６ｂが挿通される貫通孔３２１ｄが貫設されている。また、可動突起３６ｂにはスプリング（コイルスプリング）３３ｂが外装されており、スプリング３３ｂは、可動突起３６ｂの先端部に設けられた鍔部３６２ｂと第２の凹部３２１ｃの底部との間に挟持される形で配置される。従って、押し釦３６ａを押圧するときには、スプリング３３ａのばね力に抗して押し込むことになる。一方、押し釦３６ａの押し込むのを止めると、押し釦３６ａおよび可動突起３６ｂは、スプリング３３ａ，３３ｂのばね力が作用し、図４（ａ）に示す元の位置に戻される。
【００２８】
ところで、図３（ｂ）に示すように、押し釦３６ａをソケット台３２の内側に向かって（図３（ｂ）の矢印Ｃ１方向）に押し込んだときに、可動突起３６ｂがソケット台３２の下方（図３（ｂ）の矢印Ｃ２方向）に向かって動き、可動突起３６ｂが口金１１をソケット本体３０から離れる方向（図３（ｂ）の矢印Ｃ３方向）へ押し下げることにより、口金１１がソケット３から機械的に分離される。ここで、口金１１の各端子ピン１１ａ，１１ａが上記各端子ピン挿入穴から抜脱されるので、口金１１とソケット３とが電気的に分離される。しかして、蛍光ランプ１を取り外す際に、バルブ１０を端子ピン１１ａの突出方向とは反対方向へ強く引っ張ることなく口金１１をソケット３から取り外すことができるので、バルブ１０や、バルブ１０と口金１１との接合部分に加わる応力を緩和して、バルブ１０の破損を防ぐことができる。
【００２９】
ところで、操作部がラッチ型の押し釦（図示せず）の場合には、蛍光ランプ１を２つのソケット３，３に取り付ける際に、ラッチを解除するための操作が必要になったり、可動突起３６ｂを押し上げるための余分な力が必要になったりする。これに対して、本実施形態の押し釦３６ａは、上述のように非ラッチ型であるため、蛍光ランプ１を２つのソケット３，３に取り付ける際に、ラッチを解除するための操作や、可動突起３６ｂを押し上げるための余分な力を必要としないという効果がある。
【図面の簡単な説明】
【００３０】
【図１】実施形態１の照明器具を示し、（ａ）は一部破断した側面図、（ｂ）は蛍光ランプが取り付けられた状態の要部側面図、（ｃ）は蛍光ランプが外された状態の要部側面図である。
【図２】実施形態２の照明器具を示し、（ａ）は蛍光ランプが取り付けられた状態の側面図、（ｂ）は蛍光ランプが外された状態の側面図である。
【図３】同上の要部を示し、（ａ）は蛍光ランプが取り付けられた状態の側面図、（ｂ）は蛍光ランプが外された状態の側面図である。
【図４】同上の要部を示し、（ａ）は押し釦が押されていないときの断面図、（ｂ）は押し釦が押されたときの断面図である。
【図５】従来例の照明器具の一部破断した側面図である。
【図６】同上の要部を示し、（ａ）は蛍光ランプの長手方向から見た断面図、（ｂ）は側面図である。
【図７】同上の要部側面図である。
【図８】同上の照明器具の一部破断した側面図である。
【符号の説明】
【００３１】
１    蛍光ランプ（ランプ）
２    器具本体
３    ソケット
４    点灯装置
１０  バルブ
１１  口金
１１ａ  端子ピン
３０  ソケット本体
３１  支持ばね
３２  ソケット台
３５ａ  操作レバー（操作部）
３５ｂ  可動突起
３６ａ  操作釦（操作部）
３６ｂ  可動突起
【図１】
2009176683.tif 000003
【図２】
2009176683.tif 000004
【図３】
2009176683.tif 000005
【図４】
2009176683.tif 000006
【図５】
2009176683.tif 000007
【図６】
2009176683.tif 000008
【図７】
2009176683.tif 000009
【図８】
2009176683.tif 000010